(57)【要約】【課題】利用者の利便性を確保し、かつシステムのコストを抑えながら、撮影画像を安全に保管するとともに、焼増しプリントを行う。【解決手段】証明写真撮影装置１は、携帯端末２との間で通信可能であり、撮影画像を生成する撮影装置１２、前記撮影画像から人物画像を切り抜き、前記人物画像と背景画像とを合成して合成画像を作成し、前記撮影画像又は前記合成画像をリサイズしてプレビュー用画像を生成し、前記合成画像をリサイズしてプリント用画像を生成する画像処理部１２０、プレビュー用画像を表示する表示部１４、プリント用画像をプリントして出力するプリンタ１６、暗号化処理が施された撮影画像を含む送信データを生成する生成部１２４、及び送信データを携帯端末２へ送信する送信制御部１２６を備える。送信制御部１２６は、データ送信前に携帯端末２の空き容量を取得し、データ送信の可否を判定する。【選択図】図６
2015008364.tif 000002
【特許請求の範囲】
【請求項１】
携帯端末との間で通信可能な証明写真撮影装置であって、
被撮影者を撮影し、撮影画像を生成する撮影装置と、
前記撮影画像をリサイズしてプレビュー用画像とプリント用画像とを生成する画像処理部と、
前記プレビュー用画像を表示する表示部と、
前記プリント用画像を印画物にプリントして出力するプリンタと、
暗号化処理が施された前記撮影画像を含む送信データを生成する生成部と、
前記送信データを前記携帯端末へ送信する送信制御部と、
を備え、
前記送信制御部は、前記送信データの送信前に前記携帯端末の空き容量を取得し、データ送信の可否を判定することを特徴とする証明写真撮影装置。
【請求項２】
前記送信制御部は、前記携帯端末へダミーデータを送信し、前記携帯端末から受信結果を取得し、前記受信結果と前記ダミーデータとを比較して、データ送信の可否を判定することを特徴とする請求項１に記載の証明写真撮影装置。
【請求項３】
前記生成部は、前記携帯端末の表示部に表示される端末プレビュー用画像を含む前記送信データを生成することを特徴とする請求項１又は２に記載の証明写真撮影装置。
【請求項４】
前記端末プレビュー用画像には、模様又は文字が上書きされていることを特徴とする請求項３に記載の証明写真撮影装置。
【請求項５】
前記画像処理部は、前記撮影画像における背景色部分と人物部分とを判別して前記撮影画像から人物画像を切り抜き、前記人物画像と背景画像とを合成して合成画像を作成し、前記プレビュー用画像は、前記撮影画像又は前記合成画像をリサイズして生成し、前記プリント用画像は、前記合成画像をリサイズして生成することを特徴とする請求項１乃至４のいずれかに記載の証明写真撮影装置。
【請求項６】
前記生成部は、前記背景画像を含む前記送信データを生成することを特徴とする請求項１乃至５のいずれかに記載の証明写真撮影装置。
【請求項７】
前記生成部は、コピー及び加工が可能な前記撮影画像又は前記合成画像を含む前記送信データを生成することを特徴とする請求項１乃至６のいずれかに記載の証明写真撮影装置。
【請求項８】
前記送信制御部は、パスワードを生成して前記表示部に表示させ、前記携帯端末から通知されたパスワードが前記表示部に表示させたパスワードと一致した場合に、前記送信データの送信を行うことを特徴とする請求項１乃至７のいずれかに記載の証明写真撮影装置。
【請求項９】
前記携帯端末から、暗号化処理が施された撮影画像を含む受信データを受信する受信制御部をさらに備え、
前記画像処理部が、前記暗号化処理が施された撮影画像を復号し、人物画像の切り抜き、前記人物画像と背景画像との合成、及び合成画像からのプリント用画像の生成を行い、
前記プリンタが、前記プリント用画像を印画物にプリントして出力することを特徴とする請求項１乃至８のいずれかに記載の証明写真撮影装置。
【請求項１０】
前記携帯端末から、暗号化処理が施された撮影画像を含む受信データを受信する受信制御部をさらに備え、
前記生成部は、コピー及び加工が可能な前記撮影画像又は前記合成画像を含む前記送信データを生成することを特徴とする請求項１乃至８のいずれかに記載の証明写真撮影装置。
【請求項１１】
前記受信データには背景画像が含まれていることを特徴とする請求項９又は１０に記載の証明写真撮影装置。
【請求項１２】
前記受信制御部は、パスワードを生成して前記表示部に表示させ、前記携帯端末から通知されたパスワードが前記表示部に表示させたパスワードと一致した場合に、前記受信データの受信を行うことを特徴とする請求項９乃至１１のいずれかに記載の証明写真撮影装置。
【請求項１３】
前記撮影画像における人物位置に関する人物位置情報を受け付ける受付部をさらに備え、
前記画像処理部は、前記人物位置情報を用いて前記人物画像の切り抜きを行うことを特徴とする請求項１乃至１２のいずれかに記載の証明写真撮影装置。
【請求項１４】
前記人物位置情報は、被撮影者の頭頂及び顎の位置についての情報を含むことを特徴とする請求項１３に記載の印画物作製装置。
【請求項１５】
前記受付部及び前記表示部はタッチパネルからなることを特徴とする請求項１３又は１４に記載の証明写真撮影装置。
【請求項１６】
複数の背景画像を記憶する記憶部をさらに備え、
前記表示部は複数の背景画像を表示し、
前記受付部は、背景画像の選択指示を受け付け、
前記画像処理部は、前記受付部を介して選択指示された背景画像と、前記人物画像とを合成して合成画像を作成することを特徴とする請求項１３乃至１５のいずれかに記載の証明写真撮影装置。
【請求項１７】
前記画像処理部は、前記人物画像に対して美肌処理を施すことを特徴とする請求項１乃至１６のいずれかに記載の証明写真撮影装置。
【請求項１８】
電子マネーによる支払いを受け付ける課金部をさらに備え、
電子マネーによる料金支払い後、前記送信制御部による前記携帯端末へのデータ送信が正常に完了しなかった場合、前記プリンタが、データ転送失敗の証明書をプリント出力することを特徴とする請求項１乃至１７のいずれかに記載の証明写真撮影装置。
【請求項１９】
請求項１乃至１８のいずれかに記載の証明写真撮影装置と、
前記証明写真撮影装置から送信されたデータを記憶する記憶部を有する携帯端末と、
を備える証明写真撮影システム。
【発明の詳細な説明】
【技術分野】
【０００１】
本発明は、携帯端末との間で通信可能な証明写真撮影装置に関する。また、本発明は、証明写真撮影装置と、証明写真撮影装置との間で通信可能な携帯端末とを備える証明写真撮影システムに関する。
【背景技術】
【０００２】
従来、免許証、パスポート、履歴書等に貼付するための証明写真等を撮影するためのボックス型の写真撮影装置が知られている。写真撮影装置は、人物を撮影し、用途に応じた様々なサイズの写真をプリントして出力する。
【０００３】
近年、デジタルカメラの発展および普及により、撮影により得られた被写体画像の電子情報が容易に利用可能となっている。ボックス型の証明写真撮影装置においても、このような被写体画像の電子情報（以下、画像情報）を利用して焼増しプリントするというサービスが提案されている。
【０００４】
例えば、撮影装置により得られた画像情報を保管する画像データベースと、画像データベースに保管された画像情報に基づいて焼増しプリントを行うプリンタとを備えた証明写真撮影装置が知られている（例えば特許文献１参照）。また、焼増しプリントを行う利用者が、画像データベースに保管された画像情報の当事者であることを確認するために、認証用生体情報取得手段を設けることが提案されている。
【０００５】
また、証明写真撮影装置と、ネットワーク回線を介して証明写真撮影装置に接続されたサーバとを備えたシステムも提案されている（例えば特許文献１参照）。この場合、サーバに画像データベースが設けられており、証明写真撮影装置によって得られた画像情報が、サーバの画像データベースに保管される。
【先行技術文献】
【特許文献】
【０００６】
【特許文献１】特開２００７−２８８４１６号公報
【発明の概要】
【発明が解決しようとする課題】
【０００７】
証明写真撮影装置の画像データベースに画像情報が保管される場合、画像情報が第三者によって不当に利用されるのを防ぐための認証手段が必要となり、システム構成が複雑になる。
【０００８】
また、一般に、証明写真撮影装置は、不特定多数の者に利用され、そのような証明写真撮影装置に画像情報を保管することは、個人情報保護の観点から考えて好ましくない。
【０００９】
また、画像情報がサーバの画像データベースに保管される場合、通信時の情報漏洩を防止するために、高い安全性を有する通信方式を採用することが求められ、通信システムにコストがかかる。
【００１０】
本発明は、このような課題を解決し得る証明写真撮影装置及び証明写真撮影システムを提供することを目的とする。
【課題を解決するための手段】
【００１１】
本発明の一態様による証明写真撮影装置は、携帯端末との間で通信可能な証明写真撮影装置であって、被撮影者を撮影し、撮影画像を生成する撮影装置と、前記撮影画像をリサイズしてプレビュー用画像とプリント用画像とを生成する画像処理部と、前記プレビュー用画像を表示する表示部と、前記プリント用画像を印画物にプリントして出力するプリンタと、暗号化処理が施された前記撮影画像を含む送信データを生成する生成部と、前記送信データを前記携帯端末へ送信する送信制御部と、を備え、前記送信制御部は、前記送信データの送信前に前記携帯端末の空き容量を取得し、データ送信の可否を判定することを特徴とする。
【００１２】
本発明の一態様による証明写真撮影装置は、前記送信制御部は、前記携帯端末へダミーデータを送信し、前記携帯端末から受信結果を取得し、前記受信結果と前記ダミーデータとを比較して、データ送信の可否を判定することを特徴とする。
【００１３】
本発明の一態様による証明写真撮影装置は、前記生成部は、前記携帯端末の表示部に表示される端末プレビュー用画像を含む前記送信データを生成することを特徴とする。
【００１４】
本発明の一態様による証明写真撮影装置は、前記端末プレビュー用画像には、模様又は文字が上書きされていることを特徴とする。
【００１５】
本発明の一態様による証明写真撮影装置は、前記画像処理部は、前記撮影画像における背景色部分と人物部分とを判別して前記撮影画像から人物画像を切り抜き、前記人物画像と背景画像とを合成して合成画像を作成し、前記プレビュー用画像は、前記撮影画像又は前記合成画像をリサイズして生成し、前記プリント用画像は、前記合成画像をリサイズして生成することを特徴とする。
【００１６】
本発明の一態様による証明写真撮影装置は、前記生成部は、前記背景画像を含む前記送信データを生成することを特徴とする。
【００１７】
本発明の一態様による証明写真撮影装置は、前記生成部は、コピー及び加工が可能な前記撮影画像又は前記合成画像を含む前記送信データを生成することを特徴とする。
【００１８】
本発明の一態様による証明写真撮影装置は、前記送信制御部は、パスワードを生成して前記表示部に表示させ、前記携帯端末から通知されたパスワードが前記表示部に表示させたパスワードと一致した場合に、前記送信データの送信を行うことを特徴とする。
【００１９】
本発明の一態様による証明写真撮影装置は、前記携帯端末から、暗号化処理が施された撮影画像を含む受信データを受信する受信制御部をさらに備え、前記画像処理部が、前記暗号化処理が施された撮影画像を復号し、人物画像の切り抜き、前記人物画像と背景画像との合成、及び合成画像からのプリント用画像の生成を行い、前記プリンタが、前記プリント用画像を印画物にプリントして出力することを特徴とする。
【００２０】
本発明の一態様による証明写真撮影装置は、前記携帯端末から、暗号化処理が施された撮影画像を含む受信データを受信する受信制御部をさらに備え、前記生成部は、コピー及び加工が可能な前記撮影画像又は前記合成画像を含む前記送信データを生成することを特徴とする。
【００２１】
本発明の一態様による証明写真撮影装置は、前記受信データには背景画像が含まれていることを特徴とする。
【００２２】
本発明の一態様による証明写真撮影装置は、前記受信制御部は、パスワードを生成して前記表示部に表示させ、前記携帯端末から通知されたパスワードが前記表示部に表示させたパスワードと一致した場合に、前記受信データの受信を行うことを特徴とする。
【００２３】
本発明の一態様による証明写真撮影装置は、前記撮影画像における人物位置に関する人物位置情報を受け付ける受付部をさらに備え、前記画像処理部は、前記人物位置情報を用いて前記人物画像の切り抜きを行うことを特徴とする。
【００２４】
本発明の一態様による証明写真撮影装置は、前記人物位置情報は、被撮影者の頭頂及び顎の位置についての情報を含むことを特徴とする。
【００２５】
本発明の一態様による証明写真撮影装置は、前記受付部及び前記表示部はタッチパネルからなることを特徴とする。
【００２６】
本発明の一態様による証明写真撮影装置は、複数の背景画像を記憶する記憶部をさらに備え、前記表示部は複数の背景画像を表示し、前記受付部は、背景画像の選択指示を受け付け、前記画像処理部は、前記受付部を介して選択指示された背景画像と、前記人物画像とを合成して合成画像を作成することを特徴とする。
【００２７】
本発明の一態様による証明写真撮影装置は、前記画像処理部は、前記人物画像に対して美肌処理を施すことを特徴とする。
【００２８】
本発明の一態様による証明写真撮影装置は、電子マネーによる支払いを受け付ける課金部をさらに備え、電子マネーによる料金支払い後、前記送信制御部による前記携帯端末へのデータ送信が正常に完了しなかった場合、前記プリンタが、データ転送失敗の証明書をプリント出力することを特徴とする。
【００２９】
本発明の一態様による証明写真撮影装置は、前記証明写真撮影装置と、前記証明写真撮影装置から送信されたデータを記憶する記憶部を有する携帯端末と、を備える。
【発明の効果】
【００３０】
本発明によれば、証明写真撮影装置で得られた画像情報が利用者の携帯端末で保管されるため、利用者の利便性を確保し、かつシステムのコストを抑えながら、画像情報を安全に保管することができる。
【図面の簡単な説明】
【００３１】
【図１】本実施形態に係る証明写真撮影システムの概略構成図である。
【図２】人物位置情報の入力例を示す図である。
【図３】人物位置情報の入力例を示す図である。
【図４】本実施形態に係る演算制御装置の概略構成図である。
【図５】本実施形態に係る画像処理プログラムの実行により実現される機能ブロック図である。
【図６】本実施形態に係る証明写真のプリント及びデータ転送方法を説明するフローチャートである。
【図７】背景画像候補の表示例を示す図である。
【図８】本実施形態に係る証明写真のプリント及びデータ転送方法を説明するフローチャートである。
【発明を実施するための形態】
【００３２】
以下、本発明の実施の形態を図面に基づいて説明する。
【００３３】
図１に本実施形態に係る証明写真撮影システムの概略構成を示す。証明写真撮影システムは、証明写真撮影装置１と、証明写真撮影装置１と通信可能な携帯端末２とを備えている。携帯端末２は、無線ＬＡＮ（Local Area Network）によるデータ通信機能を有しており、例えば、スマートフォンやタブレット端末である。
【００３４】
本実施形態では、証明写真撮影装置１は、ユーザを撮影して生成した撮影画像をプリント出力したり、撮影画像データを携帯端末２へ送信したりする。携帯端末２は、証明写真撮影装置１から撮影画像データを受信して保存する。また、携帯端末２は、保存している撮影画像データを証明写真撮影装置１へ送信することができる。証明写真撮影装置１は、携帯端末２から受信した撮影画像データをプリント出力することができる。
【００３５】
図１に示すように、証明写真撮影装置１は、被撮影者Ｐの撮影を行う撮影空間を有するボックス型の撮影装置であり、被撮影者Ｐを撮影して撮影画像データを生成する撮影装置１２と、この撮影画像データに対して画像処理を施す演算制御装置１０と、印画物（写真）をプリントするプリンタ１６と、撮影装置１２が被撮影者Ｐを撮影する際に被撮影者Ｐに光を照射するストロボ１８と、を備える。この証明写真撮影装置１は、人物画像と背景画像を合成した合成画像を印画物にプリントして出力するものである。そのため、証明写真撮影装置１における被撮影者Ｐの背中側の壁紙は、後述するクロマキー合成に適した色、例えば青色や黄緑色になっている。
【００３６】
撮影装置１２は、例えばデジタルカメラであり、レンズ、シャッタ、ＣＭＯＳセンサ、Ａ／Ｄ変換器等を有する。撮影装置１２が被撮影者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１２は、撮影画像データを演算制御装置１０へ出力する。
【００３７】
また、証明写真撮影装置１は、被撮影者Ｐから各種指示を受け付けると共に、プレビュー画像や各種情報を表示するタッチパネル（指示受付部及び表示部）１４を備えている。
【００３８】
タッチパネル１４は、操作ボタンを表示し、操作ボタンが押されると、その操作ボタンに対応した操作指示を受け付ける。例えば、タッチパネル１４は、ユーザ（被撮影者Ｐ）から、証明写真の用途の指示を受け付ける。証明写真の用途は、プリンタ１６が印画物にプリントする画像サイズ（写真サイズ）に対応しており、例えば、運転免許証、パスポート、履歴書等である。また、タッチパネル１４は、少なくとも１つの背景画像候補を表示するとともに、ユーザから背景画像の選択指示を受け付けることができる。
【００３９】
また、タッチパネル１４は、撮影装置１２により撮影された画像を表示し、この表示画面において被撮影者Ｐの頭頂や顎、顔の中心などの位置の指示を受け付けることができる。言い換えれば、証明写真撮影装置１は、タッチパネル１４を介して、頭頂、顎、顔の中心などの人物位置に関する情報（人物位置情報）の入力を受け付けることができる。
【００４０】
例えば、図２に示すように、タッチパネル１４の画面中に、頭頂位置を指示するための横線Ｌ１及び顎の位置を指示するための横線Ｌ２が表示される。ユーザは、調整キーＫ１、Ｋ２を押して横線Ｌ１、Ｌ２の高さを調整し、決定キーＫ４を押して頭頂位置及び顎の位置を決定する。また、図３に示すように、タッチパネル１４の画面中に、顔の中心位置を指示するための縦線Ｌ３が表示される。ユーザは、調整キーＫ３を押して縦線Ｌ３の左右位置を調整し、決定キーＫ４を押して顔の中心位置を決定する。このようにして、頭頂、顎、顔の中心などの位置を示す人物位置情報が入力される。
【００４１】
プリンタ１６は、演算制御装置１０から受け取ったプリント用画像データに対して、色変換やシャープネス処理を行う。プリント用画像データについては後述する。そして、プリンタ１６は、被撮影者Ｐの撮影画像を用紙に印画して出力する。プリンタ１６のプリント方式は特に限定されず、インクジェット方式、昇華型熱転写方式、溶融型熱転写方式等を用いることができる。
【００４２】
証明写真撮影装置１には、被撮影者Ｐが印画物の代金として支払う貨幣を受け入れたり、釣銭を払い出したりする課金部（図示せず）がさらに設けられている。また、証明写真撮影装置１に、電子マネーでの支払いを受け付ける課金部が設けられていてもよい。
【００４３】
演算制御装置１０は、撮影装置１２、タッチパネル１４、プリンタ１６、ストロボ１８、及び課金部に接続されており、各部の制御やデータの受け渡しを行う。
【００４４】
図４に、演算制御装置１０のハードウェア構成を示す。演算制御装置１０は、ＣＰＵ（中央演算処理部）１００、メインメモリ１０２、ディスク装置１０４、入出力部１０６、及び無線通信部１１０を有する。演算制御装置１０の各部はバス１０８を介して接続されている。
【００４５】
ディスク装置１０４は、ＣＰＵ１００により実行される画像処理プログラム１０４Ａ及び人物画像に合成される背景画像のデータベース１０４Ｂを格納する。データベース１０４Ｂには、色や模様の異なる複数の背景画像データが記録されている。
【００４６】
ディスク装置１０４は、例えばハードディスクドライブである。なお、画像処理プログラム１０４Ａは、ディスク装置１０４でなく、ＲＯＭや磁気テープ（共に図示せず）に格納されていてもよい。
【００４７】
ＣＰＵ１００は、ディスク装置１０４内の画像処理プログラム１０４Ａをメインメモリ１０２にロードして、画像処理プログラム１０４Ａを実行する。
【００４８】
画像処理プログラム１０４Ａの実行に伴い、メインメモリ１０２上には、撮影画像データ、人物画像データ、背景画像データ、及び合成画像データを格納する領域が確保される。各データについては後述する。
【００４９】
図５に、ＣＰＵ１００が画像処理プログラム１０４Ａを実行することで実現される機能ブロック図を示す。画像処理プログラム１０４Ａの実行により、画像処理部１２０、選択部１２２、送信データ生成部１２４、送信制御部１２６、及び受信制御部１２８が実現される。
【００５０】
選択部１２２は、複数の背景画像データをディスク装置１０４のデータベース１０４Ｂから取り出し、タッチパネル１４へ出力する。また、選択部１２２は、タッチパネル１４を介してユーザから背景画像の選択指示を受け付けると、ユーザにより選択された背景画像のデータを画像処理部１２０に渡す。
【００５１】
画像処理部１２０は、クロマキー合成による処理を用いて、撮影装置１２により生成された撮影画像内の人物画像と、選択部１２２から受け取った背景画像とを合成して、合成画像データを作成する。具体的には、画像処理部１２０は、撮影画像内の人物と背景色との色差を判別し、撮影画像から人物画像を切り抜く。ここで判別される色差とは、色相差、彩度差、又は色相差及び彩度差の組み合わせである。また、画像処理部１２０は、人物画像の切り抜きの際に、タッチパネル１４を介して入力された人物位置情報を利用する。
【００５２】
そして、画像処理部１２０は、選択部１２２から受け取った背景画像と、切り抜いた人物画像とを重ね合わせることで、画像合成を行う。
【００５３】
また、画像処理部１２０は、撮影画像から切り抜いた人物画像に対して、顔（肌）の細かい凹凸やブツブツ感を軽減し、すべすべした質感に加工する美肌処理を行うことができる。美肌処理では、例えば、顔の輪郭や、髪の毛、目、鼻、口等の輪郭部分のシャープネスを保持しつつ、顔の肌部分において、シミ、シワ等を除去・軽減したり、凹凸感を軽減してなめらかに見せたりするスムージング処理が行われる。
【００５４】
画像処理部１２０は、撮影装置１２により生成された撮影画像データ又は作成した合成画像データをタッチパネル１４でのプレビュー表示に対応したサイズに縮小（リサイズ）し、プレビュー用画像データを生成する。
【００５５】
また、画像処理部１２０は、作成した合成画像データを、プリンタ１６でプリントする写真サイズに対応したサイズに縮小（リサイズ）し、プリント用画像データを生成する。例えば、縦、横の画素を均等に間引くことで画像を縮小することができる。プリンタ１６でプリントされる写真サイズは、タッチパネル１４を介して指示された用途に対応している。プリント用画像データは、演算制御装置１０の入出力部１０６を介してプリンタ１６へ出力される。
【００５６】
送信データ生成部１２４は、携帯端末２へ送信する送信データを生成する。送信データは、撮影装置１２により生成された撮影画像に暗号化処理を施した暗号化データ、画像処理部１２０が撮影画像に対して施したクロマキー合成処理や美肌処理についてのパラメータを示す画像処理情報、撮影を行った日時や場所、写真用途などを示す撮影情報、ユーザが選択した背景画像、及び携帯端末２でのプレビュー表示に対応した端末プレビュー用画像を含む。
【００５７】
暗号化データは、携帯端末２において加工や閲覧などが出来ないようになっている。また、端末プレビュー用画像には、二次利用を防止するために、顔周囲に模様、文字、撮影日付等が上書きされる。
【００５８】
また、送信データには、ユーザがコピー・加工など自由に二次利用できるようにした撮影画像（又は合成画像）である加工可能画像データを含めることができる。
【００５９】
送信制御部１２６は、携帯端末２へのデータ送信前にパスワード（ワンタイムパスワード）を生成し、タッチパネル１４に表示させる。そして、携帯端末２にこのパスワードが入力されたことが無線通信部１１０により確認された場合、送信データ生成部１２４により生成された送信データを、無線通信部１１０を介して携帯端末２へ送信する。
【００６０】
また、送信制御部１２６は、送信データ生成部１２４により生成されたデータの送信前、例えば証明写真撮影装置１の無線通信部１１０と携帯端末２との接続が確立したときに、テストデータ（ダミーデータ）の送信を行う。そして、送信制御部１２６は、送信したテストデータと携帯端末２の受信結果とを比較し、データ送信が正常に行えるか否かを判定する。
【００６１】
また、送信制御部１２６は、携帯端末２から空き容量についての情報を取得する。携帯端末２の空き容量が少ない場合、例えば空き容量が送信データ生成部１２４により生成される送信データより小さい場合、携帯端末２が証明写真撮影装置１からデータを受信できないおそれがあるため、送信制御部１２６はデータ送信が正常に行えないと判定する。
【００６２】
受信制御部１２８は、無線通信部１１０を介して、携帯端末２から送信されたデータを受信する。証明写真撮影装置１に対してデータ送信を行う携帯端末２は、事前に証明写真撮影装置１から上述した送信データを受け取っている携帯端末である。携帯端末２は、証明写真撮影装置１から受け取ったデータに含まれていた暗号化データ、画像処理情報、撮影情報、及び背景画像を、証明写真撮影装置１へ送信する。
【００６３】
受信制御部１２８は、無線通信部１１０を介して、携帯端末２から送信された暗号化データ、画像処理情報、撮影情報、及び背景画像を受信する。受信制御部１２８は、受信データを画像処理部１２０に渡す。画像処理部１２０は、暗号化データを復号して撮影画像データを生成する。画像処理部１２０は、受信データに含まれている画像処理情報や背景画像を用いて、クロマキー合成や美肌処理を行い、タッチパネル１４でのプレビュー表示に対応したプレビュー用画像データを生成したり、プリンタ１６でプリントする写真サイズに対応したプリント用画像データを生成したりする。
【００６４】
受信制御部１２８は、携帯端末２からのデータ受信前にパスワード（ワンタイムパスワード）を生成し、タッチパネル１４に表示させる。そして、携帯端末２にこのパスワードが入力されたことが無線通信部１１０により確認された場合、受信制御部１２８は無線通信部１１０を介して携帯端末２からデータを受信する。
【００６５】
図４に示すように、無線通信部１１０は、送信部１１２及び受信部１１４を有する。送信部１１２は、テストデータや、送信データ生成部１２４により生成されたデータを携帯端末２へ送信する。受信部１１４は、携帯端末２から送信されたデータを受信する。
【００６６】
図１に示す携帯端末２には、証明写真撮影装置１との間でデータ転送を行うために必要なアプリケーションソフトがインストールされている。携帯端末２は、証明写真撮影装置１からテストデータを受信すると、受信結果を証明写真撮影装置１へ送信する。携帯端末２に受信されたテストデータは自動消去される。
【００６７】
携帯端末２は、タッチパネル２２、図示しない演算処理部、フラッシュメモリ等で構成された記憶部、無線通信部等を備えており、証明写真撮影装置１からの要求に応じて、記憶部の空き容量を証明写真撮影装置１に通知することができる。
【００６８】
携帯端末２は、証明写真撮影装置１から、送信データ生成部１２４により生成されたデータを受信すると、受信したデータを記憶部に格納する。また、携帯端末２は、記憶部に格納しているデータを証明写真撮影装置１へ送信することができる。
【００６９】
携帯端末２は、証明写真撮影装置１とのデータ転送前に、証明写真撮影装置１からパスワードの通知が要求される。携帯端末２は、証明写真撮影装置１からパスワードの通知が要求されると、パスワード入力画面をタッチパネル２２に表示する。携帯端末２は、タッチパネル２２を介して入力されたパスワードを証明写真撮影装置１に通知する。通知したパスワードが正規のパスワードである場合、証明写真撮影装置１と携帯端末２との間でのデータ転送が行われる。
【００７０】
なお、携帯端末２から証明写真撮影装置１へ送信されるデータには携帯端末２の端末ＩＤが含まれており、証明写真撮影装置１の無線通信部１１０は、接続が確立した携帯端末２の端末ＩＤと、正規のパスワードを通知した携帯端末２の端末ＩＤとが一致しているかを確認し、この端末ＩＤを有する携帯端末２との間でデータ転送を行う。これにより、データが第３者の携帯端末へ転送されることを防止することができる。
【００７１】
携帯端末２は、証明写真撮影装置１から受信したデータに含まれる端末プレビュー用画像をタッチパネル２２に表示することができる。また、携帯端末は、証明写真撮影装置１から受信したデータに含まれる撮影情報に基づいて、撮影を行った日時や場所、写真用途などをタッチパネル２２に表示することができる。
【００７２】
次に、証明写真撮影装置１が、ユーザを撮影して生成した撮影画像をプリント出力するとともに、撮影画像データをユーザの携帯端末２へ送信する方法を、図６に示すフローチャートを用いて説明する。
【００７３】
（ステップＳ１０１）提供サービスの一覧がタッチパネル１４に表示される。例えば、以下の表１のような３種類のサービスが表示される。
【表１】
2015008364.tif 000003
【００７４】
ここで、焼増しデータは、上述した、撮影装置１２により生成された撮影画像に暗号化処理を施した暗号化データに対応する。また、有料画像データは、上述した、コピー・加工など自由に二次利用できる加工可能画像データに対応する。
【００７５】
ユーザ（被撮影者Ｐ）は、いずれか１つのサービスを選択し、タッチパネル１４のボタンを押す。
【００７６】
（ステップＳ１０２）画像処理メニューがタッチパネル１４に表示される。例えば、画像処理メニューとして美肌処理が表示され、ユーザは撮影画像に美肌処理を施すか否かを選択することができる。
【００７７】
（ステップＳ１０３）入金処理が行われる。具体的には、ステップＳ１０１、Ｓ１０２におけるユーザの選択に基づいて料金が決定し、タッチパネル１４に表示される。ユーザは、現金を投入し、釣銭がある場合は釣銭が支払われる。
【００７８】
（ステップＳ１０４）ユーザが携帯端末２のアプリケーションを起動する。
【００７９】
図６に示すフローチャートでは、携帯端末２にアプリケーションソフトが予めインストールされているものとしているが、アプリケーションソフトがインストールされていない場合は返金処理を行って処理を終了する。
【００８０】
（ステップＳ１０５）証明写真撮影装置１の無線通信部１１０と携帯端末２との間での接続を確立させる。例えば、証明写真撮影装置１が、自機の識別子（SSID: Service Set Identifier）をタッチパネル１４に表示する。ユーザは、携帯端末２を操作してアクセスポイント検索を行い、検索結果の中からタッチパネル１４に表示されている識別子を選択する。
【００８１】
（ステップＳ１０６）送信制御部１２６が、証明写真撮影装置１から携帯端末２へ正常にデータ送信が行えるか否かを判定する。例えば、送信制御部１２６は、携帯端末２へテストデータ（ダミーデータ）を送信する。そして、送信制御部１２６は、このテストデータと携帯端末２から受け取った受信結果とを比較し、比較結果が一致していた場合、データ送信が正常に行えると判定する。
【００８２】
また、送信制御部１２６は、携帯端末２から空き容量についての情報を取得し、空き容量と、後に送信するデータの予測サイズとを比較し、データ送信が正常に行えるか否かを判定する。空き容量が、予測サイズよりも大きい場合に、データ送信が正常に行えると判定する。後に送信するデータの予測サイズは、ステップＳ１０１、Ｓ１０２で選択されたサービスから求めることができる。
【００８３】
データ送信が正常に行えると判定した場合はステップＳ１０７へ進む。一方、データ送信が正常に行えないと判定した場合は、ステップＳ１２３へ進む。
【００８４】
（ステップＳ１０７）ユーザが、タッチパネル１４を介して証明写真の用途を入力する。証明写真の用途は、例えば、運転免許証、パスポート、履歴書等である。また、このステップで、カラー写真か、又は白黒写真かを選択することができる。
【００８５】
（ステップＳ１０８）撮影装置１２が、被撮影者Ｐを撮影し、撮影画像データを生成する。撮影装置１２が撮影を行う際に、ストロボ１８が被撮影者Ｐに光を照射する。
【００８６】
（ステップＳ１０９）画像処理部１２０が、ステップＳ１０８で生成された撮影画像データをリサイズしてプレビュー用画像データを生成する。そして、タッチパネル１４が、プレビュー用画像を表示する。ユーザは、タッチパネル１４に表示された画像を承諾する場合は、タッチパネル１４上の決定ボタンを押す。これにより、ステップＳ１１０に進む。
【００８７】
一方、ユーザは、再撮影を希望する場合、タッチパネル１４上の再撮影ボタンを押す。これにより、ステップＳ１０８に戻る。
【００８８】
なお、ステップＳ１０８において複数回撮影を行い、タッチパネル１４に複数のプレビュー用画像を表示し、ユーザが最も気に入った画像を選択するようにしてもよい。
【００８９】
（ステップＳ１１０）ユーザが、タッチパネル１４に表示されている撮影画像中の頭頂、顎、顔の中心などの位置を指示し、人物位置情報を入力する。
【００９０】
（ステップＳ１１１）画像処理部１２０が、ステップＳ１１０で入力された人物位置情報を用いて、撮影画像から人物画像を切り抜く。
【００９１】
（ステップＳ１１２）選択部１２２が、複数の背景画像についてのデータをディスク装置１０４のデータベース１０４Ｂから取り出し、背景画像候補としてタッチパネル１４に表示させる。画像処理部１２０は、撮影画像から切り抜いた人物画像と、背景画像とを合成して合成画像を作成する。さらに、画像処理部１２０は、合成画像を縮小してプレビュー用画像を作成する。ここで、合成画像に用いられる背景画像は、背景画像候補としてタッチパネル１４に表示されている背景画像のうちの任意の１つである。これにより、例えば図７に示すように、合成画像１４０及び背景画像候補１４２がタッチパネル１４に表示される。
【００９２】
（ステップＳ１１３）ユーザは、タッチパネル１４に表示されている合成画像１４０内の背景画像を承諾する場合は、タッチパネル１４上の決定ボタンを押す。これにより、ステップＳ１１５に進む。背景画像を変更する場合はステップＳ１１４へ進む。
【００９３】
（ステップＳ１１４）タッチパネル１４に表示されている背景画像候補の中から背景画像を選択する。画像処理部１２０が、ステップＳ１１１で生成された人物画像と、本ステップで選択された背景画像とを合成して合成画像を作成する。そして、新たに作成された合成画像からプレビュー用画像が作成され、タッチパネル１４に表示される。
【００９４】
（ステップＳ１１５）ユーザが美肌処理の強度を選択する。画像処理部１２０は、ユーザに指示された強度に基づいて、人物画像に美肌処理を施し、合成画像及びプレビュー用画像を作成する。ユーザは、タッチパネル１４に表示されるプレビュー画像を確認しながら、美肌処理の強度を変更できる。
【００９５】
なお、ステップＳ１０２で美肌処理を施さないことが選択されている場合は、本ステップは省略される。
【００９６】
（ステップＳ１１６）送信データ生成部１２４が携帯端末２へ送信するデータを作成する。例えば、送信データ生成部１２４は、撮影装置１２により生成された撮影画像に暗号化処理を施した暗号化データを作成する。また、送信データ生成部１２４は、画像処理部１２０が作成した合成画像から、携帯端末２でのプレビュー表示に対応した端末プレビュー用画像を作成する。そして、送信データ生成部は、暗号化データ、端末プレビュー用画像、画像処理部１２０が撮影画像に対して施したクロマキー合成処理や美肌処理についてのパラメータを示す画像処理情報、撮影を行った日時や場所、写真用途などを示す撮影情報、及びユーザが選択した背景画像を含む送信データを生成する。
【００９７】
また、ステップＳ１０１において、表１に示すサービス２やサービス３が選択されている場合、送信データ生成部１２４は、加工可能画像データをさらに含む送信データを生成する。
【００９８】
（ステップＳ１１７）送信制御部１２６が、通信用パスワードを生成する。生成されたパスワードはタッチパネル１４に表示される。パスワード生成後、無線通信部１１０が携帯端末２に対してパスワードの通知を要求する。携帯端末２のタッチパネル２２には、パスワード入力画面が表示される。
【００９９】
（ステップＳ１１８）ユーザが、タッチパネル１４に表示されているパスワードを携帯端末２に入力する。携帯端末２は、入力されたパスワードを無線通信部１１０に通知する。
【０１００】
（ステップＳ１１９）送信制御部１２６が生成したパスワードと、携帯端末２から通知されたパスワードが一致していた場合は、ステップＳ１２０に進む。
【０１０１】
（ステップＳ１２０）送信部１１２が、ステップＳ１１６で生成されたデータを携帯端末２へ送信する。
【０１０２】
（ステップＳ１２１）データ転送が正常に完了した場合はステップＳ１２２に進み、完了しなかった場合はステップＳ１２３へ進む。
【０１０３】
（ステップＳ１２２）画像処理部１２０が、合成画像データからプリント用画像データを作成する。そして、プリンタ１６が、演算制御装置１からプリント用画像データを受け取り、合成画像を用紙に印画して出力する。また、用紙には、領収書と、データが携帯端末２へ正常に転送されたこととが印字される。
【０１０４】
なお、ステップＳ１０１において、表１に示すサービス３が選択されている場合、プリンタ１６は、用紙に、領収書と、データが携帯端末２へ正常に転送されたこととを印字するとともに、証明写真として使用されないように文字などが上書きされたサンプル画像を印画して出力する。
【０１０５】
（ステップＳ１２３）返金処理を行って処理を終了する。
【０１０６】
このように、証明写真撮影装置１は、ユーザを撮影して生成した撮影画像をプリント出力するとともに、撮影画像データをユーザの携帯端末２へ送信することができる。
【０１０７】
次に、証明写真撮影装置１が携帯端末２から撮影画像データを受信してプリント出力する方法を、図８に示すフローチャートを用いて説明する。
【０１０８】
（ステップＳ２０１）ユーザが携帯端末２のアプリケーションを起動する。携帯端末２は、証明写真撮影装置１から撮影画像データを受け取って保管しているため、アプリケーションはインストール済みである。
【０１０９】
（ステップＳ２０２）証明写真撮影装置１の無線通信部１１０と携帯端末２との間での接続を確立させる。例えば、証明写真撮影装置１が、自機の識別子（SSID: Service Set Identifier）をタッチパネル１４に表示する。ユーザは、携帯端末２を操作してアクセスポイント検索を行い、検索結果の中からタッチパネル１４に表示されている識別子を選択する。
【０１１０】
（ステップＳ２０３）受信制御部１２８が、通信用パスワードを生成する。生成されたパスワードは、タッチパネル１４に表示される。パスワード生成後、無線通信部１１０が携帯端末２に対してパスワードの通知を要求する。携帯端末２のタッチパネル２２には、パスワード入力画面が表示される。
【０１１１】
（ステップＳ２０４）ユーザが、タッチパネル１４に表示されているパスワードを携帯端末２に入力する。携帯端末２は、入力されたパスワードを無線通信部１１０に通知する。
【０１１２】
（ステップＳ２０５）受信制御部１２６が生成したパスワードと、携帯端末２から通知されたパスワードが一致していた場合は、ステップＳ２０６に進む。
【０１１３】
（ステップＳ２０６）携帯端末２が、記憶部に格納されている再プリント用データを証明写真撮影装置１へ送信する。ここで、再プリント用データには、暗号化データ、画像処理情報、撮影情報、及び背景画像が含まれている。受信制御部１２６は、受信部１１４を介して再プリント用データを受信し、画像処理部１２０に渡す。
【０１１４】
（ステップＳ２０７）画像処理部１２０が、携帯端末２から受信した再プリント用データに含まれる暗号化データを復号して撮影画像データを生成する。画像処理部１２０は、画像処理情報及び背景画像を用いて、撮影画像からの人物画像の切り抜き、背景画像との合成、及び美肌処理を行い、合成画像を生成する。画像処理部１２０は、合成画像を縮小してプレビュー用画像を作成し、タッチパネル１４に表示させる。また、撮影情報に含まれる撮影日時、場所、写真用途などもあわせてタッチパネル１４に表示される。
【０１１５】
（ステップＳ２０８）前回と同じ写真を焼増しプリントする場合は、ステップＳ２０９へ進む。用途、カラー、画像処理メニュー等を変更して焼増しプリントする場合は、ステップＳ２１０へ進む。
【０１１６】
（ステップＳ２０９）入金処理が行われる。ユーザは、現金を投入し、釣銭がある場合は釣銭が支払われる。
【０１１７】
（ステップＳ２１０）画像処理メニューがタッチパネル１４に表示される。例えば、画像処理メニューとして美肌処理が表示され、ユーザは撮影画像に美肌処理を施すか否かを選択することができる。
【０１１８】
（ステップＳ２１１）ユーザが、タッチパネル１４を介して証明写真の用途を入力する。証明写真の用途は、例えば、運転免許証、パスポート、履歴書等である。また、このステップで、カラー写真か、又は白黒写真かを選択することができる。
【０１１９】
（ステップＳ２１２）入金処理が行われる。具体的には、ステップＳ２１０、Ｓ２１１におけるユーザの選択に基づいて料金が決定し、タッチパネル１４に表示される。ユーザは、現金を投入し、釣銭がある場合は釣銭が支払われる。
【０１２０】
（ステップＳ２１３）選択部１２２が、複数の背景画像についてのデータをディスク装置１０４のデータベース１０４Ｂから取り出し、背景画像候補としてタッチパネル１４に表示させる。また、画像処理部１２０が、ステップＳ２１１におけるユーザの選択に基づいて、ステップＳ２０７で作成した合成画像からプレビュー用画像を作成し、タッチパネル１４に表示させる。
【０１２１】
（ステップＳ２１４）ユーザは、タッチパネル１４に表示されている合成画像内の背景画像を承諾する場合は、タッチパネル１４上の決定ボタンを押す。これにより、ステップＳ２１６に進む。背景画像を変更する場合はステップＳ２１５へ進む。
【０１２２】
（ステップＳ２１５）タッチパネル１４に表示されている背景画像候補の中から背景画像を選択する。画像処理部１２０が、人物画像と、本ステップで選択された背景画像とを合成して合成画像を作成する。そして、新たに作成された合成画像からプレビュー用画像が作成され、タッチパネル１４に表示される。
【０１２３】
（ステップＳ２１６）ユーザが美肌処理の強度を選択する。画像処理部１２０は、ユーザの指示された強度に基づいて、人物画像に美肌処理を施し、合成画像及びプレビュー用画像を作成する。ユーザは、タッチパネル１４に表示されるプレビュー画像を確認しながら、美肌処理の強度を変更できる。
【０１２４】
なお、ステップＳ２１０で美肌処理を施さないことが選択されている場合は、本ステップは省略される。
【０１２５】
（ステップＳ２１７）画像処理部１２０が、合成画像データからプリント用画像データを作成する。そして、プリンタ１６が、演算制御装置１からプリント用画像データを受け取り、合成画像を用紙に印画して出力する。また、用紙には、領収書が印字される。
【０１２６】
このように、証明写真撮影装置１は、携帯端末２から受信した撮影画像データを使用し、背景画像やプリントサイズ等を変更して焼増しプリントを行うことができる。
【０１２７】
なお、携帯端末２へ撮影画像データを送信する証明写真撮影装置１と、携帯端末２から撮影画像データを受信して焼増しプリントを行う証明写真撮影装置１とは異なる装置であってもよい。携帯端末２は、背景画像を保管しているため、２つの証明写真撮影装置１で、データベース１０４Ｂに登録されている背景画像が異なるものであっても、当初と同じ背景の証明写真を焼増しプリントすることができる。
【０１２８】
このように、本実施形態によれば、証明写真撮影装置１で得られた画像情報を、利用者の携帯端末２で保管するため、画像情報を証明写真撮影装置内の記憶部やネットワーク上のサーバに保管するよりも、システムのコストを抑えながら、画像情報を安全に保管することができる。また、携帯端末２に画像情報を保管するため、再プリント（焼き増し）を行う際、利用者は前回とは異なる証明写真撮影装置１を利用することができ、利便性を向上させることができる。
【０１２９】
上記実施形態では、現金による支払いの例について説明したが、料金を電子マネーで支払うようにしてもよい。ただし、現金と電子マネーとでは料金の支払いタイミングが異なる。電子マネーで支払いは、図６に示すフローチャートにおいて、ステップＳ１０７〜ステップＳ１１６の間のいずれかで行われる。電子マネーでの支払いは、現金による支払いよりも返金処理が煩雑になるため、ステップＳ１０６においてデータ送信が正常に行えると判定された後、証明写真撮影装置１から携帯端末２へ画像情報が転送される前に、電子マネーでの支払いが行われる。
【０１３０】
また、電子マネーでの支払い後、ステップＳ１２１においてデータ転送が正常に完了しなかった場合、ステップＳ１２３において転送失敗エビデンスをプリント出力する。ユーザは、転送失敗エビデンスをサービスセンター等に提出して返金処理を受ける。
【０１３１】
上記実施形態において、プリント開始前のプリンタ１６内の印刷カウンタ値と、プリント完了後の印刷カウンタ値とを比較し、カウンタ値の差分が所定値になっていない場合、プリント処理を再度行うようにしてもよい。プリント処理を再度行ってもカウンタ値の差分が所定値になっていない場合は、エラーが発生したものとみなして、返金処理を行う。
【０１３２】
上記実施形態では、図６に示すフローチャートのステップＳ１０６において、携帯端末２の空き容量が少ない場合に、データ送信が正常に行えないと判定し、ステップＳ１２３へ進んで返金処理を行っていたが、ユーザに対し、携帯端末２の空き容量を増やすように報知し、所定時間内に空き容量が増えた場合には、データ送信が正常に行えると判定し、ステップＳ１０７へ進むようにしてもよい。
【０１３３】
また、上記実施形態では、画像処理部１２０が、クロマキー合成による処理を用いて、撮影画像内の人物画像と選択部１２２から受け取った背景画像とを合成して合成画像を作成し、この合成画像をリサイズしてプリント用画像を生成する例について説明したが、撮影装置１２により生成された撮影画像をリサイズしてプリント用画像を生成してもよい。
【０１３４】
また、受信制御部１２８が携帯端末２から受信したデータを用いて、送信データ生成部１２４が加工可能画像データを作成し、送信制御部１２６がこの加工可能画像データを携帯端末２へ送信するようにしてもよい。これにより、ユーザは、表１のサービス１により焼増しデータ（暗号化データ）を持ち帰った場合でも、後日、有料画像データ（加工可能画像データ）を生成し、持ち帰ることができる。
【０１３５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１３６】
１  証明写真撮影装置
２  携帯端末
１０  演算制御装置
１２  撮影装置
１４  タッチパネル
１６  プリンタ
１８  ストロボ
１００  ＣＰＵ
１０２  メインメモリ
１０４  ディスク装置
１０６  入出力部
１１０  無線通信部
１２０  画像処理部
１２２  選択部
１２４  送信データ生成部
１２６  送信制御部
１２８  受信制御部
１４０  合成画像
１４２  背景画像候補
【図１】
2015008364.tif 000004
【図２】
2015008364.tif 000005
【図３】
2015008364.tif 000006
【図４】
2015008364.tif 000007
【図５】
2015008364.tif 000008
【図６】
2015008364.tif 000009
【図８】
2015008364.tif 000010
【図７】
2015008364.tif 000011